(57)【要約】【課題】画面情報の処理が著しく大きくなることを防ぎ、且つ操作性の悪い画像表示制御を改善することにある。【解決手段】表示画面にメイン情報を標準の大きさで表示し、前記メイン情報と関連するサブ情報を同時に前記表示画面上に表示する際、前記メイン情報を表示する標準の大きさを縮小し、前記メイン情報の表示の縮小により得られる表示領域に前記サブ情報を表示する。さらに、前記表示画面にメイン情報を標準の大きさで表示している際に、縮小表示命令を受けると、前記メイン情報と関連するサブ情報の指定の有無を検知し、前記サブ情報の指定がある場合、前記メイン情報の表示の縮小により得られる表示領域に前記指定されたサブ情報を表示し、前記サブ情報の指定がない場合は、前記メイン情報の表示の縮小により得られる表示領域に予めセットされたサブ情報を表示する。【選択図】図５
2005316311.tif 000002
【特許請求の範囲】
【請求項１】
表示画面にメイン情報を標準の大きさで表示し、
前記メイン情報と関連するサブ情報を同時に前記表示画面上に表示する際、前記メイン情報を表示する標準の大きさを縮小し、
前記メイン情報の表示の縮小により得られる表示領域に前記サブ情報を表示する
ことを特徴とする画面表示制御方法。
【請求項２】
請求項1において、
前記表示画面にメイン情報を標準の大きさで表示している際に、縮小表示命令を受けると、前記メイン情報と関連するサブ情報の指定の有無を検知し、
前記サブ情報の指定がある場合、前記メイン情報の表示の縮小により得られる表示領域に前記指定されたサブ情報を表示し、
前記サブ情報の指定がない場合は、前記メイン情報の表示の縮小により得られる表示領域に予めセットされたサブ情報を表示する
ことを特徴とする画面表示制御方法。
【発明の詳細な説明】
【技術分野】
【０００１】
本発明は、画面表示制御方法に関し、特に、メイン情報とこれに関連するサブ情報を同一画面上に同時に表示する画面表示を制御する方法に関する。
【背景技術】
【０００２】
河川監視等の防災系システムの表示端末においては、数値データを表やグラフで表示する形式が一般的である。
【０００３】
最近の傾向として、更に状況を詳しく正確に把握するため、数値データやプロフィール情報、画像、ストリーム配信されているリアルタイム映像等の複数の情報を組み合せて１つの画面で同時に表示する等の手法が採用され始めている(例えば、特許文献１，２)。
【０００４】
特許文献1に記載の発明は、複数の入力チャネルのうち任意の２つのチャネルをＸ軸、Ｙ軸に対応させ、各波形を合成し、分割画面上に同時に表示するものである。また、特許文献２に記載の発明は、画面上に不特定画像サイズの画像データを拡大、縮小して見やすく並べて表示するものである。
【０００５】
このような表示を行う際に、これまでは、表だけの画面、グラフだけの画面、表とグラフを組み合せた画面、表やグラフに画像を組み合せた画面等の表示画面を提供する種類分の画面情報を作成しておくことが必要であった。そして、これに対応するべく、それぞれの組み合わせを画面１枚ずつ手作業で作成していた。
【０００６】
図１は、かかる従来システムにおいて、画面表示を行う表示端末の概念機能を説明する図である。表示制御部1と、予め用意されている複数種の画面メニューから選択された一の画面を表示するための操作を行う画面表示操作部２を有している。
【０００７】
表示制御部１の制御により、画面表示操作部２が、予め用意されている複数種の画面のメニューからある画面を表示すべき画面として選択し、関連する画面情報をデータベースから読み出し、対応する画面を構成して表示している。
【０００８】
このような画面表示操作部２は、図２に示すように構成され、画面制御部２０が表示制御部１からの命令を受け、画面の設定状態を管理する。さらに、ユーザーからの操作を受け付ける画面操作部２１と、情報の表示を行う画面表示部２２を有している。
【特許文献１】特開平５−２０３６７７号公報
【特許文献２】特開２０００−４０１４２号公報
【発明の開示】
【発明が解決しようとする課題】
【０００９】
上記のような従来技術における表示端末においては、以下のような問題点が存在する。
【００１０】
（１）監視データ数や情報の種類が増加すると組み合せパターンは爆発的に増加し、要  求される画面数が増加することによりそれぞれの組み合わせを画面１枚ずつに作成するために必要な工数も膨大なものとなる。
【００１１】
図３に、1つの表nを表示する画面を追加した際の画面メニューの追加更新例を示す。1画面（表ｎ）の追加により、他の画面情報との複数の組み合わせのそれぞれ対応する複数の画面情報を用意しておくことが必要となり、それらの画面情報の処理が著しく大きくなる。ここで、画面情報は、何れの画面データとの組み合わせであるか、また組み合わせられる画面データの画面上の配置等を含む。
【００１２】
（２）また、ある画面上で操作を行い目的のデータを参照した後に、関連した情報を同時に参照したい場合は、そのような目的のデータと参照データとの組み合せの画面に遷移する必要がある。しかし、意図した組合わせの画面が得られない場合は、目的のデータを参照するために再度同じ操作を行う必要があるため、操作性の悪い表示端末となっている。
【００１３】
したがって、本発明の目的は、かかる画面情報の処理が著しく大きくなることを防ぎ、且つ操作性の悪い画像表示制御を改善することにある。
【課題を解決するための手段】
【００１４】
かかる目的を達成する本発明に従う情報表示制御方法は、その第1の態様として、表示画面にメイン情報を標準の大きさで表示し、前記メイン情報と関連するサブ情報を同時に前記表示画面上に表示する際、前記メイン情報を表示する標準の大きさを縮小し、前記メイン情報の表示の縮小により得られる表示領域に前記サブ情報を表示することを特徴とする。
【００１５】
さらに、上記目的を達成する本発明に従う情報表示制御方法は、その第２の態様として、前記表示画面にメイン情報を標準の大きさで表示している際に、縮小表示命令を受けると、前記メイン情報と関連するサブ情報の指定の有無を検知し、前記サブ情報の指定がある場合、前記メイン情報の表示の縮小により得られる表示領域に前記指定されたサブ情報を表示し、前記サブ情報の指定がない場合は、前記メイン情報の表示の縮小により得られる表示領域に予めセットされたサブ情報を表示することを特徴とする。
【００１６】
本発明の特徴は、以下に図面に従い参照される発明の実施の形態例から更に明らかになる。
【発明の効果】
【００１７】
本発明により、ユーザーまたは表示制御部からの画面切替命令によりメイン情報表示領域を縮小表示することでサブ情報表示領域を作り出し、任意のサブ情報を表示させる。これにより、関連した情報を同時に参照することができるので、表示操作性を著しく向上させることができる。
【発明を実施するための最良の形態】
【００１８】
以下に本発明の実施の形態例を図面に従い説明する。なお、以下に説明される実施の形態例は、本発明に理解のためのものであって、本発明の技術的範囲がこれに限定されるものではない。
【００１９】
ここで、本発明の特徴を概括すると、メイン情報を表示する単一の画面において、ユーザーまたは自律的な表示制御部からの切替命令によりメイン情報表示領域を縮小表示する。これによりサブ情報表示領域を作り出し、任意のサブ情報を表示させるものである。
【００２０】
メイン情報の縮小化の際には、表示中の情報をそのまま状態を変えずに縮小するだけであるために設定および操作は縮小前とまったく同じことが可能である。
【００２１】
図４は、かかる本発明の特徴を説明する図である。図４Ａは、一の画面にメイン情報を標準表示している例である。図４Ｂは、縮小画面であり、前記メイン情報を縮小した表示Ｍにより、表示領域の空きスペースを確保し、その空きスペースをサブ情報表示領域Ｓとすることを可能としている。
【００２２】
このとき、サブ情報表示領域Ｓに表示する情報は、指定されたサブ情報を表示するが、指定がない場合は各切替操作毎に、プリセットされたサブ情報を表示する。また、ユーザーまたは表示制御部からの命令によりサブ画面表示グループ内から任意にサブ情報画面を選べるものとする。メイン情報の縮小化の際には、表示中の情報をそのまま状態を変えずに縮小するだけであるため、設定および操作は縮小前とまったく同じことが可能である。
【００２３】
図５は、図1と対比されるべき、本発明に従う表示端末の表示機能を説明する図である。
【００２４】
図５において、メイン画面として表示されるメイン情報画面メニューを操作するメイン画面表示操作部２と、サブ情報画面メニューを操作するサブ情報表示操作部２’を有している。
【００２５】
ユーザーまたはシステムから画面遷移命令が行われると、表示制御部１がメイン画面表示表示操作部２内の画面制御部２０に対し標準表示命令を出す。これにより画面制御部２０は画面操作部２１により自画面のメイン情報を標準表示領域に表示する。
【００２６】
ユーザーが画面操作部２１により同時表示操作を行ったり、システムが表示制御部１に対して同時表示命令を出すと、画面制御部２０は、メイン画面表示部２２に対し縮小表示命令を出す。これによりメイン画面表示部２２はメイン画面の縮小表示を行う。
【００２７】
このとき、情報表示に必要な設定状態は画面制御部２０に、画面操作インターフェースは画面操作部２１にあるため、メイン画面表示部２２には全く影響を与えない。
【００２８】
メイン画面表示部２２が縮小表示動作を行うと、画面制御部２０は該当するサブ情報表示画面を選択表示させるために、サブ情報表示操作部２’に対し、サブ情報表示命令を出し、サブ情報表示操作部２’は割り当てられた表示領域にサブ情報を表示する。
【００２９】
図６は、本発明の画面表示制御方法が適用される実施例としての防災監視システムの構成例ブロック図である。データ入力部１０は、図示しない外部の防災監視地点に置かれるデータ収集装置より観測データを受信する。この受信した観測データは、データ入力部１０でデータ処理部用に整形してデータ処理部１１に渡される。
【００３０】
データ処理部１１は、データ入力部１０から観測データを受け取ったとき、渡された観測データおよびデータ格納部１２から取り出した各種定数、時系列データを基に演算を行い、演算結果をデータ格納部１２に戻し格納する。また、このときのデータ更新を警報検出部１３および画面制御部２０に対して通知する。
【００３１】
警報検出部１３は、データ処理部１１よりデータ更新通知を受け取ったとき、データ格納部１２に格納されたデータおよび定数を所定の判断基準と比較して警報検出を行う。警報が検出された時には警報情報をデータ格納部１２に格納するとともに、画面制御部２０に対して警報検出の通知を行う。
【００３２】
画面制御部２０は、画面操作部２１からの画面遷移命令を受け取ったとき、標準表示状態のときはメイン画面表示部２２から、縮小表示状態のときにはメイン画面表示部２２及びサブ情報表示操作部２’からそれぞれ適切な画面情報を選択し、画面制御部２０に対して表示命令を出す。
【００３３】
画面制御部２０は、画面操作部２１から表示設定変更命令を受け取ったとき、表示中のメイン画面の選択を変更する要求命令を出す。
【００３４】
データ処理部１１からデータ更新通知を受け取ったとき、表示中のメイン情報表示メニューから表示すべきメイン画面をデータ格納部１２に対してデータ更新命令を出す。
【００３５】
画面操作部２１からの状態変化命令を受け取ったとき、標準表示状態および縮小表示状態のうち適切な状態を選択し、メイン画面表示部２２に対し標準表示命令または縮小表示命令を出す。
【００３６】
警報検出部１３から警報検出通知を受け取ったとき、現在表示中の画面が検出された警報の関連データを表示中の場合、標準表示状態のときはメイン画面表示部２２に対して縮小表示命令を出す。縮小表示状態に変化後（あらかじめ縮小表示状態だった場合は直ちに）サブ情報表示操作部２’のサブ情報表示グループの中から警報に対応したサブ情報画面を選択し、メイン画面表示部２２に対してサブ情報選択命令を出す。
【００３７】
警報が複数あり該当するサブ情報表示部も複数存在する時は、一定周期で該当するサブ情報表示操作部２’を、サブ情報選択命令により切替える。
【００３８】
画面操作部２１は、画面上の操作により、画面制御部２０に対し画面表示に関する各種命令を出す。
【００３９】
メイン画面表示部２２は、監視データを各形式の画面で表示するメイン情報表示機能を有する。以下、メイン画面表示部２２の機能の詳細を説明する。
【００４０】
１）画面制御部２０から標準表示命令を受け取り、単一画面表示(例えば、表1、表2等)を行う。
【００４１】
２）画面制御部２０から縮小表示命令を受け取り、縮小表示を行う。
【００４２】
３）画面制御部２０からサブ情報選択命令を受け取り、縮小表示中ならば指定されたサブ情報表示命令をサブ情報表示操作部２’に対して出す。
【００４３】
４） 画面制御部２０から表示設定変更命令を受け取り、設定に応じて画面表示を行う。縮小表示中ならばサブ情報表示操作部２’に対しサブ情報表示設定変更命令を出す。
【００４４】
５）画面制御部２０からデータ更新命令を受け取り、最新データ表示中ならば表示データの更新を行う。縮小表示中ならばサブ情報表示操作部２’に対し、サブ情報表示データ更新命令を出す。
【００４５】
サブ情報表示操作部２’は、サブ情報表示領域に各種データを表示するサブ情報画面を選択する機能を有し、以下にこれを説明する。
（１）メイン画面表示部２２からサブ情報表示命令を受け取り、サブ情報表示を行う。
（２）メイン画面表示部２２からサブ情報表示設定変更命令を受け取り、設定に応じて画面表示を行う。
（３）メイン画面表示部１２からサブ情報表示データ更新命令を受け取り、最新データ表示中ならば表示データの更新を行う。
【００４６】
データ格納部１８は、演算、警報検出、表示のための各種データ（数値データ、動画、静止画、文字データ等）を格納する。
【００４７】
図7、図８は、上記処理の流れを示すフロー図である。
【００４８】
先ず図７において、画面切替命令を受け付ける（処理工程Ｐ１）。かかる画面切替命令の受付は、手動によりメイン画面（例えば、「表」の表示）を選択したとき、手動により、現在表示とは別のサブ情報画面を選択したとき、データの自動更新時、またはアラーム発生時（強制サブ画面表示）に行われる。この画面切替命令においてメイン画面の番号が記憶される。
【００４９】
次いで、画面切替命令が縮小表示命令か否かを判断する（処理工程Ｐ２）。表示画面がメイン画面を拡大表示するか、あるいはサブ情報付きで縮小表示するものであるかを判定する（処理工程Ｐ２）。縮小するかの判定条件は、次にようである。
【００５０】
第１に、これから表示するメイン画面と組み合わせの可能なサブ情報画面が存在するか？
第２に、手動によるサブ表示か？
第３に、サブ情報表示中の自動更新か否か。
【００５１】
処理工程Ｐ２において、縮小表示メニューで有るとき、メイン画面の表示部２２においてメイン情報の画面を縮小して表示処理を行う（処理工程Ｐ３）。縮小表示でなければ（処理工程Ｐ２、Ｎｏ）、メイン画面表示部２２により標準表示処理が継続される。
【００５２】
次いで、メイン情報の画面を縮小して表示された場合、サブ情報の指定の有無を判断し（処理工程Ｐ５）、サブ情報の指定がなければ、手動や、自動更新などの再表示は単純にサブ画面を表示し（処理工程Ｐ６）、そのほかは、サブ表示自動選択処理を行う（処理工程Ｐ７）。かかる場合、例えば、図８において、サブ表示自動選択処理（処理工程Ｐ７）として、
・警報発生による自動サブ表示時は発生警報の種類よりサブ情報表示部２’において、サブ情報を検索、決定し、標準で表示していたメイン画面を縮小して、検索決定されたサブ情報の画面を同時に表示する。
・また、指定無しの場合はデフォルトでサブ情報を表示可能なサブ情報表示画面の中より優先度の高い画面を検索し決定、表示処理を行なう。
【産業上の利用可能性】
【００５３】
上記したように、本発明により、1画面追加の際に追加するべき組み合せ表示画面の数が膨大な量になるということを防止し、作業工数が削減できる。また、ある表示画面でバグが発生した際に、そのバグが特定の表示情報に関して生じるものである場合、従来技術ではその表示情報を扱う全ての組み合せ表示画面を修正しなければならないが、本発明では該当する画面表示・操作部およびサブ情報表示部を修正すればよいので、修正のための工数も削減できる。
【００５４】
さらに、本発明では、縮小表示処理やサブ情報表示処理は各画面の設定や状態には影響を与えないため、サブ情報を切替えても参照したいデータを表示するために新たに操作をする必要がなく、操作性が改善されている。よって、産業上寄与するところ大である。
【図面の簡単な説明】
【００５５】
【図１】従来システムにおいて、画面表示を行う表示端末の概念機能を説明する図である。
【図２】画面表示操作部の構成例である。
【図３】従来システムにおいて、一つの情報画面を追加した際の画面メニューの更新例を示す。
【図４】本発明の特徴を説明する図である。
【図５】図1と対比されるべき、本発明に従う表示端末の表示機能を説明する図である。
【図６】本発明の画面表示制御方法が適用される実施例としての防災監視システムの構成例ブロック図である。
【図７】本発明の処理の流れを示すフロー図である。(その１)
【図８】本発明の処理の流れを示すフロー図である。(その２)
【符号の説明】
【００５６】
１  表示制御部
２  画面表示操作部
１０  データ入力部
１１  データ処理部
１２  データ格納部
１３  警報検出部
２０  画面制御部
２１  画面操作部
２２  メイン画面表示部
２’サブ情報表示操作部
【図１】
2005316311.tif 000003
【図２】
2005316311.tif 000004
【図３】
2005316311.tif 000005
【図４】
2005316311.tif 000006
【図５】
2005316311.tif 000007
【図６】
2005316311.tif 000008
【図７】
2005316311.tif 000009
【図８】
2005316311.tif 000010